(57)【特許請求の範囲】
【請求項１】
負端子(1a)、出力端子(1b)、及び正端子(1c)を有するオペアンプ(1)と、
前記負端子(1a)とアース(E)との間に接続された第１抵抗(R1)と、
前記第１抵抗(R1)と前記負端子(1a)との間に設けられた第１接続点(N1)と、
前記第１接続点(N1)と前記出力端子(1b)との間に接続された第２抵抗(R2)と、
前記出力端子(1b)と前記正端子(1c)との間に直列に接続された第１コンデンサ(C1)及び第３抵抗(R3)と、
前記第１コンデンサ(C1)と前記第３抵抗(R3)との間に設けられた第２接続点(N2)と、
前記第２接続点(N2)と前記アース(E)との間に接続された第４抵抗(R4)と、
前記第３抵抗(R3)と前記正端子(1c)との間に設けられた第３接続点(N3)と、
前記第３接続点(N3)と前記アース(E)との間に接続された第２コンデンサ(C2)と、
前記第２接続点(N2)と前記第３抵抗(R3)との間に直列に設けられた第４及び第５接続点(N4,N5)と、
前記第４接続点(N4)と前記アース(E)との間に接続されたツェナーダイオード体(4)と、
前記ツェナーダイオード体(4)を構成し、直列接続された一対のツェナーダイオード(ZD)からそれぞれなり、前記第４接続点(N4)から前記アース(E)に向けて順に直列に接続されるとともに、互いに異なるツェナー電圧(Vz)を有する第１〜第３ツェナーダイオード群(4a〜4c)と、
前記第１ツェナーダイオード群(4a)と前記第２ツェナーダイオード群(4b)との間に接続された第１接続端子(10)と、
前記第２ツェナーダイオード群(4b)と前記第３ツェナーダイオード群(4c)との間に接続された第２接続端子(11)と、
前記第３ツェナーダイオード群(4c)と前記アース(E)との間に接続された第３接続端子(12)と、
前記第５接続点(N5)に接続された第４接続端子(13)と
を備えた発振回路を用い、
前記第４接続端子(13)を前記第２接続端子(11)に接続線で接続するか、前記第４接続端子(13)と前記第１接続端子(10)及び前記第２接続端子(11)と前記第３接続端子(12)を各々接続線で接続するか、前記第１接続端子(10)を前記第３接続端子(12)に接続線で接続するかの何れかを選択して、各ツェナーダイオード群(4a〜4c)の中の何れか１個のみを用い他を短絡することにより、前記出力端子(1b)からの発振出力(3)の電圧レベル(V)を可変とする発振方法。
【発明の詳細な説明】
【０００１】
【発明の属する技術分野】
本発明は、発振方法に関し、特に、発振回路にツェナーダイオードを複数接続し、各ツェナーダイオードを接続線で選択的に短絡することにより、各発振出力の電圧レベルを可変とするための新規な改良に関する。
【０００２】
【従来の技術】
従来の発振方法は種々あるが、その中で１例を示すと、図２で示される通りである。すなわち、図２において符号１で示されるものは負端子１ａ、出力端子１ｂ、及び正端子１ｃを有するオペアンプであり、前記負端子１ａとアースＥとの間には第１抵抗Ｒ１が接続されている。この第１抵抗Ｒ１と前記負端子１ａとの間には第１接続点Ｎ１が設けられており、この第１接続点Ｎ１と前記出力端子１ｂとの間には第２抵抗Ｒ２（帰還抵抗）が接続されている。
前記出力端子１ｂと前記正端子１ｃとの間には第１コンデンサＣ１及び第３抵抗Ｒ３が直列に接続されている。前記第１コンデンサＣ１と前記第３抵抗Ｒ３との間には第２接続点Ｎ２が設けられており、この第２接続点Ｎ２とアースＥとの間には第４抵抗Ｒ４が接続されている。前記第３抵抗Ｒ３と前記正端子１ｃとの間には第３接続点Ｎ３が設けられており、この第３接続点Ｎ３とアースＥとの間には第２コンデンサＣ２が接続されている。
前記第２接続点Ｎ２と前記第３抵抗Ｒ３との間には第４接続点Ｎ４が設けられており、この第４接続点Ｎ４とアースＥとの間には前記出力端子１ｂから出力される正弦波の発振出力３の電圧レベルＶを設定するためのツェナーダイオード体４が接続されている。
このツェナーダイオード体４のツェナー電圧Ｖｚにより発振出力３の電圧レベルＶが決定され、具体的には、発振出力３の電圧レベルＶは、図２に示すようにルート２×Ｖｚであり、この電圧レベルＶを可変とするためには、この発振出力３に接続された電圧調整器５を介して任意の電圧レベルの出力Ｖｏｕｔを得ることができ、可変抵抗器ＶＲにより出力Ｖｏｕｔの電圧レベルを自在に変えることができる。
【０００３】
【発明が解決しようとする課題】
従来の発振方法は、以上のように構成されているため、次のような課題が存在していた。すなわち、発振回路から出力される発振出力の電圧レベルを変えるためには、出力側に電圧調整器を接続しなければならず、回路構成が複雑化していた。
【０００４】
本発明は、以上のような課題を解決するためになされたもので、特に、発振回路にツェナーダイオードを複数接続し、各ツェナーダイオードを接続線で選択的に短絡することにより、発振出力の電圧レベルを可変とするようにした発振方法を提供することを目的とする。
【０００５】
【課題を解決するための手段】
本発明による発振方法は、負端子、出力端子、及び正端子を有するオペアンプと、前記負端子とアースとの間に接続された第１抵抗と、前記第１抵抗と前記負端子との間に設けられた第１接続点と、前記第１接続点と前記出力端子との間に接続された第２抵抗と、前記出力端子と前記正端子との間に直列に接続された第１コンデンサ及び第３抵抗と、前記第１コンデンサと前記第３抵抗との間に設けられた第２接続点と、前記第２接続点と前記アースとの間に接続された第４抵抗と、前記第３抵抗と前記正端子との間に設けられた第３接続点と、前記第３接続点と前記アースとの間に接続された第２コンデンサと、前記第２接続点と前記第３抵抗との間に直列に設けられた第４及び第５接続点と、前記第４接続点と前記アースとの間に接続されたツェナーダイオード体と、前記ツェナーダイオード体を構成し、直列接続された一対のツェナーダイオードからそれぞれなり、前記第４接続点から前記アースに向けて順に直列に接続されるとともに、互いに異なるツェナー電圧を有する第１〜第３ツェナーダイオード群と、前記第１ツェナーダイオード群と前記第２ツェナーダイオード群との間に接続された第１接続端子と、前記第２ツェナーダイオード群と前記第３ツェナーダイオード群との間に接続された第２接続端子と、前記第３ツェナーダイオード群と前記アースとの間に接続された第３接続端子と、前記第５接続点に接続された第４接続端子とを備えた発振回路を用い、前記第４接続端子を前記第２接続端子に接続線で接続するか、前記第４接続端子と前記第１接続端子及び前記第２接続端子と前記第３接続端子を各々接続線で接続するか、前記第１接続端子を前記第３接続端子に接続線で接続するかの何れかを選択して、各ツェナーダイオード群の中の何れか１個のみを用い他を短絡することにより、前記出力端子からの発振出力の電圧レベルを可変とする方法である。
【０００６】
【発明の実施の形態】
以下、図面と共に本発明による発振方法の好適な実施の形態について説明する。なお、従来例と同一又は同等部分には同一符号を付して説明する。
図１において符号１で示されるものは負端子１ａ、出力端子１ｂ、及び正端子１ｃを有するオペアンプであり、前記負端子１ａとアースＥとの間には第１抵抗Ｒ１が接続されている。この第１抵抗Ｒ１と前記負端子１ａとの間には第１接続点Ｎ１が設けられており、この第１接続点Ｎ１と前記出力端子１ｂとの間には第２抵抗Ｒ２（帰還抵抗）が接続されている。
前記出力端子１ｂと前記正端子１ｃとの間には第１コンデンサＣ１及び第３抵抗Ｒ３が直列に接続されている。前記第１コンデンサＣ１と前記第３抵抗Ｒ３との間には第２接続点Ｎ２が設けられており、この第２接続点Ｎ２とアースＥとの間には第４抵抗Ｒ４が接続されている。前記第３抵抗Ｒ３と前記正端子１ｃとの間には第３接続点Ｎ３が設けられており、この第３接続点Ｎ３とアースＥとの間には第２コンデンサＣ２が接続されている。
【０００７】
前記第２接続点Ｎ２と前記第３抵抗Ｒ３との間には第４及び第５接続点Ｎ４，Ｎ５が設けられている。前記第４接続点Ｎ４とアースＥとの間には、前記出力端子１ｂから出力される正弦波の発振出力３の電圧レベルＶを設定するためのツェナーダイオード体４が接続されている。
このツェナーダイオード体４は、互いに直列に接続されるとともに、互いにツェナー電圧Ｖｚが異なるように設定（規格では、ＲＤ３.９とＲＤ４.７）された第１、第２、第３ツェナーダイオード群４ａ、４ｂ、４ｃよりなり、各ツェナーダイオード群４ａ、４ｂ、４ｃは１対のダイオードＺｎからなると共に、各ツェナーダイオード群４ａ、４ｂ、４ｃ間及び外側には第１、第２、第３接続端子１０、１１、１２が接続されている。つまり、前記第１及び第２ツェナーダイオード群４ａ，４ｂ間に前記第１接続端子１０が接続され、前記第２及び第３ツェナーダイオード群４ｂ，４ｃ間に前記第２接続端子１１が接続され、前記第３ツェナーダイオード群４ｃ及びアースＥ間に第３接続端子１２が接続されている。さらに、前記第５接続点Ｎ５には第４接続端子１３が接続されている。
【０００８】
次に、前述のツェナーダイオード群４ａ、４ｂ、４ｃを選択的に用いて発振出力３の電圧レベルを変える場合、まず、第４接続端子１３を第２接続端子１１に図示しないジャンパー線、パターン等の接続線で接続すると、他が短絡されて第３ツェナーダイオード群４ｃのみを用いることになり、電圧レベルＶは５.５Ｖとなる。
また、第４接続端子１３を第１接続端子１０と接続し、かつ、第２接続端子１１を第３接続端子１２と接続することにより短絡されて、第２ツェナーダイオード群４ｂのみを用いることになり、電圧レベルＶは６.１Ｖとなる。
また、第１接続端子１０を第３接続端子１２に接続すると第２、第３ツェナーダイオード群４ｂ、４ｃが短絡されて、第１ツェナーダイオード群４ａのみを用いることになり、電圧レベルＶは６.６Ｖとなる。
以上のように、各ツェナーダイオード群４ａ、４ｂ、４ｃの中の何れか１個のみを用い他を短絡することにより、発振出力３の電圧レベルを任意に変えることができる。なお、このツェナーダイオード群の数は３個としたが、その数は自在である。
【０００９】
【発明の効果】
本発明による発振方法は、以上のように構成されているため、次のような効果を得ることができる。すなわち、不必要なツェナーダイオード群を短絡して複数のツェナーダイオード群を選択的に用いることにより、従来の電圧調整器を用いることなく、発振出力の電圧レベルを任意に変えることができる。そのため、ハード構成を簡略化することが可能である。
【図面の簡単な説明】
【図１】  本発明による発振方法を示す回路図である。
【図２】  従来の発振方法を示す回路図である。
【符号の説明】
１    オペアンプ
１ａ    負端子
１ｂ    出力端子
１ｃ    正端子
Ｒ１〜Ｒ４    第１〜第４抵抗
Ｃ１，Ｃ２    第１及び第２コンデンサ
Ｎ１〜Ｎ５    第１〜第５接続点
３    発振出力
４    ツェナーダイオード体
４ａ〜４ｃ    ツェナーダイオード群
１０〜１３    第１〜第４接続端子
Ｖ    電圧レベル
Ｚｎ  ツェナーダイオード
【図１】
0004206147.tif 000002
【図２】
0004206147.tif 000003